(57)【要約】【課題】ヘッドマウントディスプレイ装置を使用しているときの、キーボード等によって入力する情報の機密性を確保する。【解決手段】本発明は、使用者の頭部に装着可能なヘッドマウントディスプレイ装置１０において、表示データに基づいて画像を表示する表示手段としてのディスプレイ部１１Ａ及び１１Ｂと、前記表示手段にキーボード画像を表示させるために、前記表示手段に前記キーボード画像の表示データを出力する画像出力部３３と、を備えていることを特徴とする。【選択図】図１
2012088474.tif 000002
【特許請求の範囲】
【請求項１】
使用者の頭部に装着可能なヘッドマウントディスプレイ装置において、
表示データに基づいて画像を表示する表示手段と、
前記表示手段にキーボード画像を表示させるために、前記表示手段に前記キーボード画像の表示データを出力する画像出力部と、
を備えていることを特徴とするヘッドマウントディスプレイ装置。
【請求項２】
前記画像出力部は、前記キーボード画像の表示色を、前記キーボード画像が表示されるべきキーボードの色と反対色となるように制御することを特徴とする請求項１に記載のヘッドマウントディスプレイ装置。
【発明の詳細な説明】
【技術分野】
【０００１】
この発明はヘッドマウントディスプレイ装置に関する。
【背景技術】
【０００２】
従来、頭部に装着されるヘッドマウントディスプレイ装置と携帯可能なコンピューター本体とを有するウエアラブルコンピューター（携帯装置）が知られている（下記特許文献参照）。
【先行技術文献】
【特許文献】
【０００３】
【特許文献１】特開２０００−２９６２１号公報
【発明の概要】
【発明が解決しようとする課題】
【０００４】
上記ヘッドマウントディスプレイ装置を頭部に装着している状態では周囲の状況が見渡しにくいので、例えば電子端末のキーボードでパスワードなどの機密情報を入力しているときに第３者から覗き見されていても、そのことに気づき難い。特に、ゴーグル型としたヘッドマウントディスプレイ装置の使用中にこの問題が顕著となる。
【０００５】
この発明はこのような事情に鑑みてなされたもので、その課題はヘッドマウントディスプレイ装置を使用しているときのキーボード等によって入力する情報の機密性を確保することを課題とする。
【課題を解決するための手段】
【０００６】
上記課題を解決するために、本発明のヘッドマウントディスプレイ装置は、使用者の頭部に装着可能なヘッドマウントディスプレイ装置において、表示データに基づいて画像を表示する表示手段と、前記表示手段にキーボード画像を表示させるために、前記表示手段に前記キーボード画像の表示データを出力する画像出力部と、を備えていることを特徴とする。
【０００７】
また、上記ヘッドマウントディスプレイ装置において、前記画像出力部は、前記キーボード画像の表示色を、前記キーボード画像が表示されるべきキーボードの色と反対色となるように制御することを特徴とする。
【図面の簡単な説明】
【０００８】
【図１】この発明の実施形態に係るヘッドマウントディスプレイ装置を含む携帯装置のブロック図である。
【図２】ヘッドマウントディスプレイ装置の非表示状態の一例を示す図である。
【図３】ヘッドマウントディスプレイ装置の表示状態の一例を示す図である。
【発明を実施するための形態】
【０００９】
以下、この発明の実施の形態を図面に基づいて説明する。
図１はこの発明に係る携帯装置の使用方法を説明する図である。
【００１０】
図１はこの発明の一実施形態に係るヘッドマウントディスプレイ装置を含む携帯装置のブロック図である。コントローラー部（制御部）３０が例えばベルト（図示せず）を用いて使用者に装着され、ヘッドマウントディスプレイ装置１０が使用者の頭部に装着される。
【００１１】
ヘッドマウントディスプレイ装置１０は眼鏡型である。フレーム部とテンプル部とは一体に形成されていてもよい。なお、眼鏡型の他にゴーグル型がある。
【００１２】
ヘッドマウントディスプレイ装置１０とコントローラー部３０とは伝送ケーブルで接続されている。なお、コントローラー部３０とヘッドマウントディスプレイ装置１０とを伝送ケーブルで接続する代わりに、無線でコントローラー部３０とヘッドマウントディスプレイ装置１０との間で信号の送受信を行わせるようにしてもよい。
【００１３】
携帯装置１はヘッドマウントディスプレイ装置１０とコントローラー部３０とを備えている。
【００１４】
ヘッドマウントディスプレイ装置１０は、ディスプレイ部（表示手段）１１Ａ，１１Ｂとキーボード配列表示部（キーボード像表示手段）１２と手元像取得部（手元像取得手段）１３とハーフミラー（合成手段）Ｍ１と全反射ミラーＭ２，Ｍ３とハーフミラーＭ４，Ｍ５とミラー部Ｍ６Ａ，Ｍ６Ｂとビデオカメラ（撮像手段）１４とを有する。ディスプレイ部１１Ａ，１１Ｂ、キーボード配列表示部１２、ハーフミラーＭ１、全反射ミラーＭ２，Ｍ３、ハーフミラーＭ４，Ｍ５、ミラー部Ｍ６Ａ，Ｍ６Ｂ及びビデオカメラ１４は眼鏡型のヘッドマウントディスプレイ装置１０のフレーム部（図示せず）に支持されている。
【００１５】
ディスプレイ部１１Ａ，１１Ｂは例えば液晶表示素子あるいは有機ＥＬ発光素子であり、使用者Ｍの眼ＥＲ，ＥＬの前に配置される。
【００１６】
キーボード配列表示部１２はキーボード像５０（図３参照）を表示する。キーボード配列表示部１２は例えば液晶表示素子で構成されたり、キーボード像５０が蒸着された透明フィルムと光源とで構成されたりする。キーボード配列表示部１２をキーボード像５０と透明フィルムで構成した場合、透明フィルムを光源とハーフミラーＭ５との間の光路上に配置してもよい。また、キーボードは配列表示部１２を独立して設ける必要はなく、画像出力部３３から出力される表示データに基づいて、ディスプレイ部１１Ａ及び１１Ｂによってキーボード像５０を表示させる構成としてもよい。
【００１７】
また、キーボード配列表示部が画像出力部３３から出力される画像データに基づいてキーボード像５０を表示するように構成してもよい。
【００１８】
ハーフミラーＭ４を透過した合成像はハーフミラーＭ５で分岐される。ハーフミラーＭ５を透過した合成像はミラー部Ｍ６Ａの下部に形成された穴（図示せず）を介して使用者Ｍの右目ＥＲに達する。
【００１９】
ハーフミラーＭ５で反射された合成像は全反射ミラーＭ３で反射され、ミラー部Ｍ６Ｂの下部に形成された穴（図示せず）を介して使用者Ｍの左目ＥＬに達する。ミラー部Ｍ６Ａ，Ｍ６Ｂの穴は合成像を透過できる大きさである。
【００２０】
なお、合成像を透過できるものであれば穴に限るものではなく、例えばハーフミラーであってもよい。
【００２１】
ミラー部Ｍ６Ａ，Ｍ６Ｂはディスプレイ部１１Ａ，１１Ｂ上に表示された画像を反射させて例えば使用者Ｍの眼ＥＲ，ＥＬの前６０ｃｍの空間位置の仮想スクリーン上に拡大された虚像を結像させる。合成像とディスプレイ部１１Ａ，１１Ｂの画像とが使用者Ｍによって同時に観察される。その結果、使用者Ｍはディスプレイ表示領域Ｒ１内のキーボード像５０を見ながら入力操作することができる。
【００２２】
コントローラー部３０は画像入力部３２と画像出力部３３とＣＰＵ３１とを有する。
【００２３】
ＣＰＵ３１はインタフェースである画像入力部３２を介してビデオカメラ１４に接続されている。画像入力部３２は電圧信号をデジタル信号に変換し、画像信号としてＣＰＵ３１に供給する。
【００２４】
ＣＰＵ３１はインタフェースである画像出力部３３を介してディスプレイ部１１Ａ，１１Ｂに接続されている。画像出力部３３はＣＰＵ３１で生成された画像信号をアナログ信号に変換し、ディスプレイ部１１Ａ，１１Ｂに供給する。
【００２５】
また、ＣＰＵ３１はヘッドマウントディスプレイ装置１０の全体動作を制御する。例えば、ＣＰＵ３１に外部記憶媒体である例えばフラッシュメモリーから情報を取り込み、ディスプレイ部１１Ａ，１１Ｂへの使用者からの操作情報を入力したり、画像を再生してディスプレイ部１１Ａ，１１Ｂへ表示させたりする。
【００２６】
なお、上記実施形態では、複眼視のヘッドマウントディスプレイ装置で説明したが、単眼視のヘッドマウントディスプレイ装置でもよいことはもちろんである。
【００２７】
図２はディスプレイ部１１Ａ及び１１Ｂにおいて何も表示を行わないときに、使用者からキーボード３５を見た状態を示した図である。キーボード観察領域にキーボード３５を配置し、使用者がキーボード３５の操作を行う。キーボード３５のキートップは通常と異なり文字が表示されておらず、無印字の状態となっている。
【００２８】
図３はヘッドマウントディスプレイ装置の表示でキーボード画像を表示した状態を示す図である。
【００２９】
ディスプレイ部１１Ａ，１１Ｂにはディスプレイ表示領域Ｒ１内にキーボード（手元）観察領域が配置されている。一方、画像出力部３３からキーボード３５の表示データが出力され、ディスプレイ部１１Ａ及び１１Ｂにおいて、キーボード像５０が表示される。これによって、図３に示すように使用者からはキーボード３５の各キーに対して、対応するキーの文字の画像が重ねて表示され、各キーの割り当てを視認することが可能となる。
なお、ＣＰＵ３１の表示制御手段としての機能によって、キーボードの外郭に沿った枠線を太線として表示することも可能である。なお、指が押していると認識されたキーの枠線の太さや枠内の色（例えば赤色）を変更したりしてもよい。また、キーボード配列表示部１２が液晶表示素子等で表示可能な場合、上記枠線をキーボード配列表示部１２側で行ってもよい。
【００３０】
また、キーボード像５０の視認性を向上させるために、キーボード像５０の表示色をキーボード３５の色の反対色とするようにしてもよい。例えば、キーボード３５本体の色が黒の場合には、キーボード像５０の色は白色あるいは黄色系などの輝度の高い色とすることで、キーボード像の視認性を高めることができる。なお、このような制御は、画像出力部３３において行うようにするとデータの制御が容易となり好ましい。
【００３１】
上述の構成を採用する場合、画像出力部はキーボード３５の色を把握してキーボード像５０の色を調整する必要がある。この場合、ビデオカメラ１４によって撮像されたキーボード３５の画像が画像入力部３２に入力され、当該キーボード３５の画像をＣＰＵ３１を用いて解析することで、キーボード３５の色を特定する構成とすればよい。これによって、画像出力部３５は、特定されたキーボード３５の色に基づいてキーボード画像５０の色を使用者にとって視認性の高い色に調整することが可能となる。また、合成した表示色において、画像表示色よりもキーボード色が暗い、または濃い色合いであるようにすると視認性がより向上する。
【００３２】
本発明よれば、使用者Ｍはディスプレイ表示領域Ｒ１内のキーボード像５０を見ながら入力操作することができるため、周辺が見渡し難いヘッドマウントディスプレイ装置１０を使用しているとき、容易にキーボード操作を行うことができる。
【００３３】
また、キーボード３５のキートップは無印字であり、キーボード３５の各キーがどの文字に対応するかは、ヘッドマウントディスプレイを装着しない限り視認することができないので、機密性が高い文章、記号、文字、数列等を入力するときに、他者から入力内容を見られることを防止することが可能となる。
【００３４】
また、ミラー部Ｍ６ＡとハーフミラーＭ５との間及びミラー部Ｍ６ＢとハーフミラーＭ３との間の光路にシャッター（図示せず）等を配置し、キーボード像５０を使用しないときにはキーボード像が見えないようにしてもよい。
【符号の説明】
【００３５】
１…携帯機器、１０…ヘッドマウントディスプレイ装置、１１Ａ，１１Ｂ…ディスプレイ部（表示手段）、１４…ビデオカメラ、３０…コントローラー部（制御部）、３１…ＣＰＵ、５０…キーボード像。
【図１】
2012088474.tif 000003
【図２】
2012088474.tif 000004
【図３】
2012088474.tif 000005